(57)【要約】【課題】  光学素子の載置部の精度を向上させることができる光ヘッド装置を提供すること。【解決手段】  光ヘッド装置１において、フレーム６が、ガイド穴６ｃ、６ｃおよび６ｄを有し、対物レンズ駆動装置５が載置された第１フレーム６１と、レーザ発光素子３１、３２、受光素子７、および光学系を構成する光学素子としての第１および第２のプリズム１５、１０、第１、第２のグレーティングレンズ１４、１６、コリメータレンズ１８、立ち上げミラー１９、センサレンズ２０、導光ミラー２１が載置された載置部を有する第２フレーム６２とから構成され、第１フレーム６１および第２フレーム６２がダイキャストによって形成されている。【選択図】      図２
2006120258.tif 000002
【特許請求の範囲】
【請求項１】
光ディスクに向かってレーザ光を出射するレーザ発光素子と、前記光ディスクからの反射光を受光する受光素子と、前記レーザ発光素子からの出射光を前記光ディスクに導くとともに該光ディスクからの反射光を前記受光素子に導く光学系と、前記レーザ発光素子と前記受光素子と前記光学系とが載置されたフレームとを備える光ヘッド装置において、
前記フレームは、前記光ヘッド装置を前記光ディスクの半径方向へ案内する主軸または副軸と係合する係合部を有し、対物レンズ駆動装置が載置された第１フレームと、前記レーザ発光素子、前記受光素子、および前記光学系を構成する光学素子が載置された載置部を有する第２フレームとから構成され、前記第１フレームおよび前記第２フレームが、ダイキャストによって形成されたことを特徴とする光ヘッド装置。
【請求項２】
請求項１において、前記第２フレームは、前記受光素子または前記光学素子が当接して位置調整を行うための証面を有することを特徴とする光ヘッド装置。
【請求項３】
請求項２において、前記証面は、前記レーザ発光素子から出射されるレーザ光の出射方向と直交方向に形成されていることを特徴とする光ヘッド装置。
【請求項４】
請求項１ないし３のいずれかにおいて、前記レーザ発光素子は、筒状の金属ケースに半導体レーザチップが内設されたキャンタイプレーザであることを特徴とする光ヘッド装置。
【請求項５】
請求項１ないし３のいずれかにおいて、前記レーザ発光素子は、角型フレームに半導体レーザチップが内設されたフレームタイプレーザであることを特徴とする光ヘッド装置。
【請求項６】
請求項１ないし５のいずれかにおいて、前記第２フレームに載置された光学素子には、前記レーザ発光素子からの出射光を平行光にするコリメータレンズが含まれており、該コリメータレンズが前記光学系の最終段に配設されていることを特徴とする光ヘッド装置。
【請求項７】
請求項１ないし６のいずれかにおいて、前記第１フレームには、前記主軸および前記副軸のいずれか一方の係合部側に前記対物レンズ駆動装置が配設されるとともに、前記主軸および前記副軸のいずれか他方の係合部側に第２フレームが配設され、該第２フレームは、前記第１フレームの上面から下面に貫通された貫通部に内設されるとともに前記第２フレームの外壁が前記貫通部の内壁に接着固定されたことを特徴とする光ヘッド装置。
【発明の詳細な説明】
【技術分野】
【０００１】
本発明は、ＣＤやＤＶＤなどの光ディスクの記録、再生を行う光ヘッド装置に関するものである。さらに詳しくは、光ヘッド装置のフレームの構成に関するものである。
【背景技術】
【０００２】
ＣＤやＤＶＤ等の光ディスクの記録、再生を行う光ヘッド装置は、光ディスクに向かってレーザ光を出射するレーザ発光素子と、光ディスクからの反射光を受光する受光素子と、レーザ発光素子からの出射光を光ディスクに導くとともに光ディスクからの反射光を受光素子に導く光学系等を備えており、これらのレーザ発光素子、受光素子および光学系は、フレームに載置されている。
【０００３】
近年、光ディスクの高記録密度化あるいは記録速度の高速化に伴い、光ヘッド装置が小型化されている。特に、ノートパソコンに内蔵される光ヘッド装置の場合、フレームの薄型化が要求されており、近年では略光学素子の厚さまで薄型化されたものが用いられている。（例えば特許文献１参照）
【特許文献１】特開２００３−３３８０６３号公報
【発明の開示】
【発明が解決しようとする課題】
【０００４】
このようなフレームの薄型化に伴って、フレームをダイキャストにより成形させた場合、フレームに成形歪が生じ易くなる。故に、光学素子またはレーザ発光素子を載置する載置部の精度が悪いという問題がある。従って、光学素子またはレーザ発光素子を載置部に搭載する際の位置調整量が増えるので、光学素子またはレーザ発光素子の厚さまで薄型化されたフレームの上下方向に光学素子またはレーザ発光素子が突出し、光ヘッド装置の薄型化の妨げになるという問題がある。
【０００５】
以上の問題点に鑑みて、本発明の課題は、光学素子の載置部の精度を向上させることができる光ヘッド装置を提供することにある。
【課題を解決するための手段】
【０００６】
上記の課題を解決するため、本発明は、光ディスクに向かってレーザ光を出射するレーザ発光素子と、前記光ディスクからの反射光を受光する受光素子と、前記レーザ発光素子からの出射光を前記光ディスクに導くとともに該光ディスクからの反射光を前記受光素子に導く光学系と、前記レーザ発光素子と前記受光素子と前記光学系とが載置されたフレームとを備える光ヘッド装置において、前記フレームは、前記光ヘッド装置を前記光ディスクの半径方向へ案内する主軸または副軸と係合する係合部を有し、対物レンズ駆動装置が載置された第１フレームと、前記レーザ発光素子、前記受光素子、および前記光学系を構成する光学素子が載置された載置部を有する第２フレームとから構成され、前記第１フレームおよび前記第２フレームが、ダイキャストによって形成されたことを特徴とする。
【０００７】
また、本発明では、前記第２フレームは、前記受光素子または前記光学素子が当接して位置調整を行うための基準面（以下証面という）を有していることが好ましい。このように構成すると、受光素子または光学素子の位置調整作業の際、第２フレームに形成された証面に受光素子または光学素子を当接させながら摺動させることにより行うことが可能になる。故に、調整作業の簡略化が図れ、調整時間が短縮できる。
【０００８】
さらに、本発明では、前記証面は、前記レーザ発光素子から出射されるレーザ光の出射方向と直交方向に形成されていることが好ましい。
【０００９】
さらに、本発明において、レーザ発光素子は、筒状の金属ケースに半導体レーザチップが内設されたキャンタイプレーザを用いることができる。このように構成すると、角型フレームに半導体レーザチップが内設されたフレームタイプレーザを用いる場合に比較して、レーザ発光素子の放熱性を向上させることができる。
【００１０】
さらにまた、本発明において、前記レーザ発光素子は、角型フレームに半導体レーザチップが内設されたフレームタイプレーザを用いることができる。このように構成すると、筒状の金属ケースに半導体レーザチップが内設されたキャンタイプレーザレーザを用いる場合に比較して、光ヘッド装置の薄型化を図ることができる。なお、フレームタイプレーザおよびキャンタイプレーザを用いた場合では、発光素子としてベアチップを用いた場合に比較して、製品の歩留まりを向上させることができる。すなわち、ベアチップの場合、ベアチップへの給電が困難なので、現状では、スクリーニングを行うことなく装置へ実装させている。その結果、製品の歩留まりが悪くなる最大の原因になっている。フレームタイプレーザおよびキャンタイプレーザの場合では、スクリーニングされた良品を使用することが可能なので、製品の歩留まりを格段に向上させることができる。
【００１１】
また、本発明において、前記第２フレームに載置された光学素子には、前記レーザ発光素子からの出射光を平行光にするコリメータレンズが含まれており、該コリメータレンズが前記光学系の最終段に配設されていることが好ましい。このように構成すると、第２フレームを、平行光を出射する一つの光学ユニットとみなすことができる。故に、オフラインで擬似ディスクを用いて各光学素子の取付位置等の調整を行う際の擬似ディスクと第２フレームとの距離を適宜設定することが可能になる。従って、第２フレームに載置された光学素子の位置調整を行う際、調整治具を挿入するに十分な距離を確保することができ、光学素子の調整作業を容易、且つ確実に行うことができる。
【００１２】
さらに、本発明において、前記第１フレームには、前記主軸および前記副軸のいずれか一方の係合部側に前記対物レンズ駆動装置が配設されるとともに、前記主軸および前記副軸のいずれか他方の係合部側に第２フレームが配設され、該第２フレームは、前記第１フレームの上面から下面に貫通された貫通部に内設されるとともに前記第２フレームの外壁が前記貫通部の内壁に接着固定されていることが好ましい。このように構成すると、第２フレームが、第１フレームの貫通部に内設されるため、フレームの薄型化が可能になる。また、フレームの薄型化に伴い、光ヘッド装置をスムーズに移動させる上で、特に、フレームの重量バランスが重要になるが、対物レンズ駆動装置と第２フレームとの重量が第１フレーム上でバランス良く配置される。故に、光ヘッド装置の重量バランスがよくなり光ヘッド装置をスムーズに移動させることができる。
【発明の効果】
【００１３】
以上のように本発明にかかる光ヘッド装置では、フレームが、主軸または副軸と係合する係合部を有し、対物レンズ駆動装置が載置された第１フレームと、レーザ発光素子、受光素子、および光学系を構成する光学素子が載置された載置部を有する第２フレームとから構成され、前記第１フレームおよび前記第２フレームが、ダイキャストによって形成されている。すなわち、位置調整の必要になるレーザ発光素子、受光素子、および光学系を構成する光学素子等を第２フレームにまとめて搭載し、第２フレームを第１フレームと分離してダイキャストにより形成したため、第２フレームには第１フレームのダイキャストによる成形歪が全く作用しない。その上、この第２フレームには、主軸および副軸と係合する係合部等、レーザ発光素子、受光素子、および光学系を構成する光学素子等を載置する上で関係のないものを極力省いて小さく形成したので、第２フレームの成形歪を最小に抑制することができる。従って、レーザ発光素子、受光素子、および光学系を構成する光学素子等を載置する載置部の精度を向上させることができる。
【発明を実施するための最良の形態】
【００１４】
以下、本発明を実施するための最良の形態を図面に基づいて説明する。
【００１５】
（光ヘッド装置の概略構成）
図１は、本発明の実施の形態にかかる光ヘッド装置の概略構成を模式的に示す概略構成図である。図２は、図１に示す光ヘッド装置を上面側から見たときの斜示図である。図３は、図１に示す光ヘッド装置を下面側からみたときの斜視図である。図４は、図１に示す光ヘッド装置の第２フレーム上に光学素子が載置された状態を下面側から示す斜示図である。図５は、図４に示す光ヘッド装置の受光素子周辺のＡ−Ａ断面を模式的に示す断面図である。
【００１６】
本形態における光ヘッド装置１は、ＣＤあるいはＤＶＤなどの光ディスク２に対する情報記録、情報再生を行うものであり、光ディスク２に向かってレーザ光を出射する光源としての第１および第２のレーザ発光素子３１、３２と、光ディスク２からの反射光を受光する受光素子７と、出射されたレーザ光を光ディスク２に集光させる対物レンズ９をトラッキング方向、フォーカシング方向およびチルト方向へ駆動する対物レンズ駆動装置５と、この対物レンズ駆動装置５を上面側に保持するとともに、第１および第２のレーザ発光素子３１、３２からの出射光を光ディスク２に導くとともに光ディスク２からの反射光を受光素子７に導く所定の光学系や、第１および第２のレーザ発光素子３１、３２や、受光素子７などが載置された本体フレーム６とを有している。第１および第２のレーザ発光素子３１、３２は、波長６５０ｎｍ（短波長）の第１のレーザ光を出射するＤＶＤ用のレーザ発光素子、および波長７８０ｎｍ（長波長）の第２のレーザ光を出射するＣＤ用のレーザ発光素子である。また、第１および第２のレーザ発光素子３１、３２は、ともに、円筒状の金属ケースに半導体レーザチップが内設されたキャンタイプのレーザ発光素子でホルダ１３、１７を介して本体フレーム６に載置されている。
【００１７】
第１のレーザ発光素子３１から出射された第１のレーザ光Ｌ１は、光路分離素子としての偏光ビームスプリッタからなる第１のプリズム１５および光路合成素子としての偏光ビームスプリッタからなる第２のプリズム１０により、光ディスク２に向かう共通光学経路１１に導かれ、対物レンズ９により光ディスク２の記録面に集光するようになっている。第２のレーザ発光素子３２から出射された第２のレーザ光Ｌ２は、第２のプリズム１０により、共通光学経路１１に導かれ、対物レンズ９により光ディスク２の記録面に集光するようになっている。また、光ディスク２で反射されたレーザ光の戻り光（反射光）は、第２のプリズム１０を介して第１のプリズム１５に入射し、この第１のプリズム１５で分離されて受光素子７の受光面７ａに導かれるようになっている。
【００１８】
より具体的には、本体フレーム６上において、第１のレーザ発光素子３１から光ディスク２に向かう光路上には、第１のグレーティングレンズ１４、第１のプリズム１５、第２のプリズム１０、コリメータレンズ１８、立ち上げミラー１９、および対物レンズ９がこの順に配置されている。従って、第１のレーザ発光素子３１から出射された第１のレーザ光Ｌ１は、第１のグレーティングレンズ１４、第１のプリズム１５、および第２のプリズム１０を透過した後、コリメータレンズ１８で平行光化され、しかる後に、立ち上げミラー１９で上方に導かれ、対物レンズ９によって光ディスク２の記録面に光スポットとして集光するようになっている。
【００１９】
また、第２のレーザ発光素子３２から光ディスク２に向かう光路上には、リレーレンズ１２、第２のグレーティングレンズ１６、第２のプリズム１０、コリメータレンズ１８、立ち上げミラー１９、および対物レンズ９がこの順に配置されている。従って、第２のレーザ発光素子３２から出射された第２のレーザ光Ｌ２は、リレーレンズ１２、および第２のグレーティングレンズ１６を透過した後、その一部が第２のプリズム１０で部分反射された後、コリメータレンズ１８で平行光化され、しかる後に、立ち上げミラー１９で上方に導かれ、対物レンズ９によって光ディスク２の記録面に光スポットとして集光するようになっている。
【００２０】
さらに、光ディスク２での反射光Ｌｒは、上記とは反対の光路を辿り、対物レンズ９、立ち上げミラー１９、コリメータレンズ１８、第２のプリズム１０を経て第１のプリズム１５に入射するようになっている。その後、第２のプリズム１５で部分反射された反射光は、センサレンズ２０を透過した後、導光ミラー２１により立ち上げられて受光素子７の受光面７ａに至るようになっている。
【００２１】
なお、第２プリズム１０の側方には、第１および第２のレーザ発光素子３１、３２の出力を調整するためのモニタ用受光素子２３が設けられている。このモニタ用受光素子２３は、第１のレーザ発光素子３１から出射され第２のプリズム１０で部分反射された第１のレーザ光を受光し、かつ、第２のレーザ発光素子３２から出射され第２のプリズム１０を透過した第２のレーザ光を受光する位置に配設されている。
【００２２】
本体フレーム６は、図２、図３に示すように、第１フレーム６１と第２フレーム６２とから構成されており、光ディスク２に対向する上面６ａとこの上面６ａの反対面となる下面６ｂとを備えた扁平形状をしている。
【００２３】
第１フレーム６１は、マグネシウムダイキャストにより形成され、上面６１ａと下面６１ｂとを備えるとともに、その両端部には、丸穴からなるガイド穴６ｃ、６ｃと、コの字形状に突き出したガイド部６ｄとが形成されている。ガイド穴６ｃ、６ｃに通された主軸５１と、ガイド部６ｄに通された副軸５２に沿って、光ヘッド装置１は、光ディスク２の半径方向に移動することができるようになっている。すなわち、ガイド穴６ｃ、６ｃおよびガイド部６ｄは、それぞれ主軸および副軸に係合する係合部になっている。また、第１フレーム６１には、第１および第２のレーザ発光素子３１、３２を駆動するドライバー（図示しない）が搭載される配線基板としてのＦＰＣ６４が固定されている。なお、第１フレーム６１は、必ずしもマグネシウムダイキャストに限定されるものではなく、アルミダイキャストまたは亜鉛ダイキャスト等により形成してもよい。
【００２４】
第２フレーム６２は、亜鉛ダイキャストにより形成され、上面６２ａと下面６２ｂとを備えている。そして、この第２フレーム６２は、本体フレーム６の上面６ａと下面６ｂとを貫通した貫通部２２内に内設され、その内壁に第２フレーム６２の外壁が接着固定されている。
【００２５】
また、図５に示すように第２フレーム６２の上面６２ａには、受光素子７が内設され、その底面に受光素子７が載置される載置面６２ｅを有する凹部６２ｆが形成されている。第２フレーム６２の載置面６２ｅ上には、受光面７ａが対物レンズ９に対する反射光の入射方向（図５における上方向）を向くように、受光素子７が配設されており、受光素子７は、載置面６２ｅ上に沿って、第２フレーム６２の上面６２ａ側から取付位置調整可能になっている。
【００２６】
受光素子７は、ＩＣチップ７ｃを搭載するベース基板７ｂ側が、配線基板となるＦＰＣ６３の半田ランド部（図示しない）に半田接続され搭載されており、受光素子７の受光面７ａを載置面６２ｅに当接させた状態で、受光素子７が第２フレーム６２に接着固定させられている。すなわち、載置面６２ｅの近傍には、第２フレームの下面６２ｂに貫通した透孔６２Ｃが形成されており、その内壁と受光素子７の受光面７ａとに跨って接着剤６６が塗布されることにより、受光素子７が第２フレームに固定させられている。なお、ＦＰＣ６３の受光素子７が載置された反対側には、補強板６５が固着されている。故に、受光素子７の位置調整の際、ＦＰＣの変形が防止される。従って、受光素子７が半田接続された半田ランド部に応力がかからないので、受光素子７と半田ランド部との半田接続を防止することができる。
【００２７】
本形態の第２フレーム６２には、受光素子７の他に、光学系を構成する所定の光学素子と、第1および第２のレーザ発光素子３１、３２等が載置されている。本形態における所定の光学系とは、具体的には、リレーレンズ１２、第１のグレーティングレンズ１４、第２のグレーティングレンズ１６、第１のプリズム１５、第２のプリズム１０、コリメータレンズ１８、モニタ用受光素子２３、センサレンズ２０、および導光ミラー２１である。ただし、リレーレンズ１２は、ホルダ１７に固定されており、レーザ発光素子３１同様、間接的に第２フレーム６２へ載置されている。なお、第１、第２のグレーティング１４、１６が、それぞれ固定される壁部６２ｃ、６２ｄは、それぞれ第１、第２のレーザ発光素子３１、３２から出射されるレーザ光の出射方向と直交方向に形成された証面になっている。また、第２フレーム６２は、必ずしも亜鉛ダイキャストに限定されるものではなく、アルミダイキャスト、またはマグネシウムダイキャスト等により形成しても良い。
【００２８】
対物レンズ駆動装置５は、対物レンズ９を保持するレンズホルダ４０と、このレンズホルダ４０の左右両側で上下３段に配置された６本のワイヤ４１により、レンズホルダ４０をトラッキング方向、フォーカシング方向、およびチルト方向に変位可能に支持するホルダ支持部材４２と、対物レンズ駆動装置５のフレームを構成するヨーク４３（図３参照）とを備えている。ヨーク４３は、本体フレーム６の下面６ｂ側に取付られており、これによって、対物レンズ駆動装置５は、対物レンズ９が本体フレーム６の上面６ａ側に配置されるように、本体フレーム６に搭載されている。なお、支持部材４２は、本体フレーム６あるいはヨーク４３に固定支持されている。
【００２９】
対物レンズ駆動装置５は、レンズホルダ４０に取付られた駆動コイルおよびヨーク４３に取付られた駆動マグネットから構成される磁気駆動回路４４を備え、駆動コイルに対する通電を制御することによりレンズホルダ４０に支持された対物レンズ９を光ディスク２に対してトラッキング方向、フォーカシング方向およびチルト方向に駆動することができるようになっている。
【００３０】
（受光素子の取付位置調整）
以上のように構成された光ヘッド装置１における受光素子７の取付位置調整の方法を以下に説明する。
【００３１】
本形態においては、第２フレーム６２には、第１および第２のレーザ発光素子３１、３２からの出射光を平行光にするコリメータレンズ１８が光学系の最終段に載置されている。そのため、所定の光学素子等が載置された第２フレーム６２は平行光を出射する一つの光学ユニットとみなすことができる。そこで、本形態では、第１フレーム６１に第２フレーム６２を固定する前の状態、すなわちオフラインで受光素子７の取付位置を調整することになる。
【００３２】
オフラインでの受光素子７の取付位置調整には、光ディスク２に換えてレーザ光を反射する反射面を備えた擬似ディスク（図示省略）を用いる。また、コリメータレンズ１８から出射されたレーザ光を立ち上げる調整用ミラー（図示省略）、およびこの調整用ミラーによって立ち上げられたレーザ光を擬似ミラーに集光させる調整用レンズ（図示省略）を用いる。
【００３３】
擬似ディスクは、調整用レンズから出射光軸上に配置されるミラーである。擬似ディスクは、調整用レンズから出射されたレーザ光を反射すれば足りることから、光ディスク２に比べ小型のものを用いることができる。
【００３４】
上記の擬似ディスク、調整用ミラーおよび調整用レンズを用いて、オフラインで受光素子７の取付位置調整が行われる。具体的には、受光素子７およびセンサレンズ２０以外の光学素子、第１および第２のレーザ発光素子３１、３２を予め位置調整した後、接着固定して載置した第２フレーム６２と、調整用ミラーと、調整用レンズと、擬似ディスクとを所定の治具によって保持する。
【００３５】
その後、第１および第２のレーザ発光素子３１、３２から順次レーザ光を出射して、擬似ディスクからの反射光を読みながら、受光素子７の取付位置調整を行う。より具体的には、載置面６２ｅに沿って、平面方向（Ｘ方向およびＹ方向）で位置調整しつつ、センサレンズ２０を所定の治具を用いて位置調整して、受光面７ａに至る反射光の光路長（Ｚ方向）を調整する。この位置調整は、第２フレーム６２の上面６２ａ側から行う。
【００３６】
本形態の場合、第２フレーム６２に載置された光学素子の最終段にコリメータレンズ１８が載置されているので、コリメータレンズ１８から出射された平行光が調整ミラーによって上面６２ａ側へ立ち上げられる。故に、第２フレーム６２の上面６２ａに載置された受光素子７と擬似ディスクとの距離を適宜設定可能なため、十分に確保することができるので、センサレンズ２０および受光素子７の調整作業を容易且つ正確に行うことができる。
【００３７】
受光素子７の取付位置の調整が完了すると、受光素子７およびセンサレンズ２０を接着で第２フレーム６２に固定する。受光素子７の第２フレーム６２への接着に関しては上述した方法によりなされる。このように、所定の光学素子等を載置した第２フレーム６２を、受光素子７の取付位置調整が完了した状態で、第１フレーム６１の上面に固定するとともに、立ち上げミラー１９および対物レンズ駆動装置５を第１フレーム６１に搭載して光ヘッド装置１を完成する。
【００３８】
（本形態の主な効果）
以上説明したように、本形態の光ヘッド装置１では、フレーム６が、ガイド穴６ｃ、６ｃおよび６ｄを有し、対物レンズ駆動装置５が載置された第１フレーム６１と、レーザ発光素子３１、３２、受光素子７、および光学系を構成する光学素子としての第１および第２のプリズム１５、１０、第１、第２のグレーティングレンズ１４、１６、コリメータレンズ１８、立ち上げミラー１９、センサレンズ２０、導光ミラー２１が載置された載置部を有する第２フレーム６２とから構成され、第１フレーム６１および第２フレーム６２がダイキャストによって形成されている。すなわち、位置調整の必要になるレーザ発光素子３１、３２、受光素子７、および光学系を構成する光学素子等を第２フレーム６２にまとめて搭載し、第２フレーム６２を第１フレーム６１と分離してダイキャストにより形成したため、第２フレーム６２には第１フレーム６１のダイキャストによる成形歪が全く作用しない。その上、第２フレーム６２には、ガイド穴６ｃ、６ｃおよび６ｄ等、レーザ発光素子３１、３２、受光素子７、および光学系を構成する光学素子等を載置する上で関係のないものを極力省いて小さく形成したので、第２フレーム６２の成形歪を最小に抑制することができる。従って、レーザ発光素子３１、３２、受光素子７、および光学系を構成する光学素子等を載置する載置部の精度を向上させることができる。
【００３９】
また、本形態では、第２フレーム６２は、受光素子７または光学素子が当接して位置調整を行うための証面を有している。たとえば、載置面６２ｅが受光素子７の証面になっており、受光素子７の位置調整作業の際、載置面６２ｅに受光素子７を当接させながら摺動させることにより行うことが可能になる。故に、調整作業の簡略化が図れ、調整時間が短縮できる。特に、本形態では、第１、第２のレーザ発光素子３１、３２から出射されるレーザ光の出射方向と直交方向に形成された証面を有している。たとえば、第１、第２のグレーティング１４、１６が当接する壁部６２ｃ、６２ｄであって、第１、第２のグレーティング１４、１６の位置調整作業の際、壁部６２ｃ、６２ｄに第１、第２のグレーティング１４、１６を当接させながら回転調整させることが可能になる。故に、調整作業の簡略化が図れ、調整時間が短縮できる。
【００４０】
さらに、本形態では、レーザ発光素子３１、３２は、筒状の金属ケースに半導体レーザチップが内設されたキャンタイプレーザなので、フレームタイプレーザを用いる場合に比較して、レーザ発光素子の放熱性を向上させることができる。その上、ベアチップを用いた場合に比較して、スクリーニングされた良品を使用することが可能なので、製品の歩留まりを向上させることができる。
【００４１】
さらにまた、本形態では、第２フレーム６２に載置された光学素子には、第１および第２のレーザ発光素子３１、３２からの出射光を平行光にするコリメータレンズ１８が含まれており、該コリメータレンズ１８が光学系の最終段に配設されているので、第２フレーム６２を、平行光を出射する一つの光学ユニットとみなすことができる。故に、オフラインで擬似ディスクを用いることにより各光学素子の取付位置等の調整を行う際、擬似ディスクと第２フレームとの距離を適宜設定することが可能になる。従って、第２フレーム６２に載置された光学素子の位置調整を行う際、調整治具を挿入する十分な距離を確保することにより、光学素子の調整作業を容易、且つ確実に行うことができる。
【００４２】
また、本形態では、第１フレーム６１には、ガイド穴６ｃ、６ｃ側に対物レンズ駆動装置５が配設されるとともに、ガイド穴６ｄ側に第２フレーム６２が配設され、第２フレーム６２は、第１フレーム６１の上面６１ａから下面６１ｂに貫通された貫通部２２に内設されるとともに第２フレーム６２の外壁が貫通部２２の内壁に接着固定されている。故に、第２フレーム６２が、第１フレーム６１の貫通部２２に内設されるため、フレーム６の薄型化が可能になる。また、フレーム６の薄型化に伴い、光ヘッド装置１をスムーズに移動させる上で、特に、フレーム６の重量バランスが重要になるが、対物レンズ駆動装置５と第２フレーム６２との重量が第１フレーム６１上でバランス良く配置される。従って、光ヘッド装置１の重量バランスがよくなり光ヘッド装置１をスムーズに移動させることができる。
【００４３】
（他の実施の形態）
上述した形態は、本発明の好適な形態の一例ではあるが、これに限定されるものではなく本発明の要旨を変更しない範囲において種々変形可能である。例えば、上述した形態では、レーザ発光素子３１、３２としてキャンタイプレーザを用いたが、フレームタイプレーザを用いてもよい。
【００４４】
また、受光素子７の取付位置調整は必ずしもオフラインで行う必要はなく、完成された光ヘッド装置１と光ディスク２を用いて受光素子７の取付位置調整を行うようにしても良い。
【図面の簡単な説明】
【００４５】
【図１】本発明の実施の形態にかかる光ヘッド装置の概略構成を模式的に示す概略構成図である。
【図２】図１に示す光ヘッド装置を上面側から見たときの斜示図である。
【図３】図１に示す光ヘッド装置を下面側からみたときの斜視図である。
【図４】図１に示す光ヘッド装置の第２のフレーム上に光学素子が載置された状態を下面側から示す斜示図である。
【図５】図４に示す光ヘッド装置の受光素子周辺のＡ−Ａ断面を模式的に示す断面図である。
【符号の説明】
【００４６】
１  光ヘッド装置
２  光ディスク
５対物レンズ駆動装置
６  フレーム
６ｃ  ガイド穴
６ｄ  ガイド部
７  受光素子
９  対物レンズ
１８  コリメータレンズ
３１  第１のレーザ発光素子
３２  第２のレーザ発光素子
５１  主軸
５２  副軸
６１  第１フレーム
６１ａ  上面
６１ｂ  下面
６２  第２フレーム
６２ａ  上面
６２ｂ  下面
６２ｅ  載置面（証面）
【図１】
2006120258.tif 000003
【図２】
2006120258.tif 000004
【図３】
2006120258.tif 000005
【図４】
2006120258.tif 000006
【図５】
2006120258.tif 000007